(57)【要約】【課題】画像が取り込まれた期日、時間及び被写体の位置を表す実際の地図や座標を提供することができる測位データ提供手段を提供する。【解決手段】被写体の存在する位置を測定し、経度、緯度を計算する経緯度測定手段と、該経緯度測定手段に接続し、画像を取り込む画像キャプチャ手段と、画像データを保存するデジタル画像保存ユニットと、及び画像に関する情報を保存するデジタルデータ保存ユニットとを具えてなり、且つ該経緯度測定手段と、該画像キャプチャ手段とに接続する保存手段と、該保存手段に接続して該デジタルデータ保存ユニットに保存した画像情報の経度、緯度に基づき、実際の地図と座標を表示する一表示手段とを含む。【選択図】図１
0003126385.tif 000002
【実用新案登録請求の範囲】
【請求項１】
被写体の存在する位置を測定し、経度、緯度を計算する経緯度測定手段と、
該経緯度測定手段に接続し、画像を取り込む画像キャプチャ手段と、
画像データを保存するデジタル画像保存ユニットと、及び画像に関する情報を保存するデジタルデータ保存ユニットとを具えてなり、且つ該経緯度測定手段と、該画像キャプチャ手段とに接続する保存手段と、
該保存手段に接続して該デジタルデータ保存ユニットに保存した画像情報の経度、緯度に基づき、実際の地図と座標を表示する一表示手段とを含むことを特徴とする測位データ提供手段。
【請求項２】
前記経緯度測定手段が全地球測位システムであることを特徴とする請求項１に記載の測位データ提供手段。
【請求項３】
前記デジタルデータ保存ユニットに保存する画像関連情報が画像を取り込んだ時間、期日、及び被写体の位置の経度と緯度とを含むことを特徴とする請求項１に記載の測位データ提供手段。
【請求項４】
被写体の存在する位置を測定し、経度、緯度を計算する経緯度測定手段と、
該経緯度測定手段に接続し、画像を取り込む画像キャプチャ手段と、
画像データを保存するデジタル画像保存ユニットと、及び画像に関する情報を保存するデジタルデータ保存ユニットとを具えてなり、且つ該経緯度測定手段と、該画像キャプチャ手段とに接続する保存手段とを含むことを特徴とする測位データ提供手段。
【請求項５】
前記経緯度測定手段が全地球測位システムであることを特徴とする請求項４に記載の測位データ提供手段。
【請求項６】
前記デジタルデータ保存ユニットに保存する画像関連情報が画像を取り込んだ時間、期日、及び被写体の位置の経度と緯度とを含むことを特徴とする請求項４に記載の測位データ提供手段。
【請求項７】
前記保存手段が該デジタルデータ保存ユニットに保存した被写体の位置に係る緯度、経度に基づく実際の地図と座標を表示する外部接続プロセッサに接続することを特徴とする請求項４に記載の測位データ提供手段。
【請求項８】
前記外部接続プロセッサがコンピュータか、携帯情報端末か、もしくは携帯電話機であることを特徴とするコンピュータか、携帯情報端末か、もしくは携帯電話機であることを特徴とする請求項７に記載の測位データ提供手段。
【考案の詳細な説明】
【技術分野】
【０００１】
この考案は、測位データ提供手段に関し、特に画像を取り込んだ期日、時間及び被写体の位置を表す実際の地図や座標を提供する測位データ提供手段に関する。
【背景技術】
【０００２】
画像を取り込むための従来の装置には、感光フィルムを利用したスチールカメラと、デジタル画像処理装置にメモリカードを具えたデジタルカメラとがある。両者はいずれも画像を取り込むために必要な機能を具えている。
【０００３】
しかしながら、スチールカメラは感光フィルムを利用しているため、撮影できる枚数が限られ、撮影後の画像をすぐに閲覧、削除することができず、且つ撮影後のフィルムを繰り返し利用することができない。また、感光フィルムは保存が難しいとともに、フィルムを暗室で処理した後でなければ必要な写真を確認することができない。
【０００４】
よって、スチールカメラに代わってデジタルカメラを利用する人が増加してきている。デジタルカメラは撮影後、すぐに撮影した画像を閲覧、消去することができるだけでなく、メモリカードをコンピュータ、ＰＤＡ、携帯電話などの装置に直接接続して画像の保存及び処理を行うことができるため、撮影後の画像を永久に保存できるだけでなく、画像を多様に利用することができる。
【０００５】
前述のように、デジタルカメラはスチールカメラを利用する場合の欠点を改善した。しかしながら、従来のデジタルカメラは撮影時に画像を取り込み保存する以外、撮影の期日、時間しか記録することができない。このため、数年後に保存していた画像を鑑賞する場合、撮影する人と撮影された人は、撮影した期日、時間しか知ることができず、撮影された場所を忘れていることがある。よって、従来のデジタルカメラでは思い出として保存する画像として記録できる資料が不足している。
【考案の開示】
【考案が解決しようとする課題】
【０００６】
この考案は、画像が取り込まれた期日、時間及び被写体の位置を表す実際の地図や座標を提供することができる測位データ提供手段を提供することを課題とする。
【課題を解決するための手段】
【０００７】
そこで本発明者は、従来の技術に鑑み鋭意研究を重ねた結果、被写体の存在する位置を測定し、経度、緯度を計算する経緯度測定手段と、該経緯度測定手段に接続し、画像を取り込む画像キャプチャ手段と、画像データを保存するデジタル画像保存ユニットと、及び画像に関する情報を保存するデジタルデータ保存ユニットとを具えてなり、且つ該経緯度測定手段と、該画像キャプチャ手段とに接続する保存手段と、該保存手段に接続して該デジタルデータ保存ユニットに保存した画像情報の経度、緯度に基づき、実際の地図と座標を表示する一表示手段とを含む構造によって課題を解決できる点に着眼し、係る知見に基づき本発明を完成させた。
以下、この発明について具体的に説明する。
【０００８】
請求項１に記載の測位データは、提供手段被写体の存在する位置を測定し、経度、緯度を計算する経緯度測定手段と、該経緯度測定手段に接続し、画像を取り込む画像キャプチャ手段と、画像データを保存するデジタル画像保存ユニットと、及び画像に関する情報を保存するデジタルデータ保存ユニットとを具えてなり、且つ該経緯度測定手段と、該画像キャプチャ手段とに接続する保存手段と、該保存手段に接続して該デジタルデータ保存ユニットに保存した画像情報の経度、緯度に基づき、実際の地図と座標を表示する一表示手段とを含む。
【０００９】
請求項２に記載の測位データ提供手段は、請求項１における経緯度測定手段が全地球測位システムである。
【００１０】
請求項３に記載の測位データ提供手段は、請求項１におけるデジタルデータ保存ユニットに保存する画像関連情報が画像を取り込んだ時間、期日、及び被写体の位置の経度と緯度とを含む。
【００１１】
請求項４に記載の画像位置決め装置は、被写体の存在する位置を測定し、経度、緯度を計算する経緯度測定手段と、該経緯度測定手段に接続し、画像を取り込む画像キャプチャ手段と、画像データを保存するデジタル画像保存ユニットと、及び画像に関する情報を保存するデジタルデータ保存ユニットとを具えてなり、且つ該経緯度測定手段と、該画像キャプチャ手段とに接続する保存手段とを含む。
【００１２】
請求項５に記載の測位データ提供手段は、請求項４における経緯度測定手段が全地球測位システムである。
【００１３】
請求項６に記載の測位データ提供手段は、請求項４におけるデジタルデータ保存ユニットに保存する画像関連情報が画像を取り込んだ時間、期日、及び被写体の位置の経度と緯度とを含む。
【００１４】
請求項７に記載の測位データ提供手段は、請求項４における保存手段が該デジタルデータ保存ユニットに保存した被写体の位置に係る緯度、経度に基づく実際の地図と座標を表示する外部接続プロセッサに接続する。
【００１５】
請求項８に記載の測位データ提供手段は、請求項７における外部接続プロセッサがコンピュータか、携帯情報端末か、もしくは携帯電話機であることを特徴とするコンピュータか、携帯情報端末か、もしくは携帯電話機である。
【考案の効果】
【００１６】
この考案の測位データ提供手段は、画像を取り込んだ期日、時間及び被写体の位置する実際の地図や座標を記録し、表示することができるため、利用者に画像が取り込まれた場所をはっきりと正確に伝えることができるという効果を有する。
【考案を実施するための最良の形態】
【００１７】
この考案は、画像が取り込まれた期日、時間及び被写体の位置を表す実際の地図や座標を提供することができる測位データ提供手段であって、被写体の存在する位置を測定し、経度、緯度を計算する経緯度測定手段と、
該経緯度測定手段に接続し、画像を取り込む画像キャプチャ手段と、画像データを保存するデジタル画像保存ユニットと、及び画像に関する情報を保存するデジタルデータ保存ユニットとを具えてなり、且つ該経緯度測定手段と、該画像キャプチャ手段とに接続する保存手段と、該保存手段に接続して該デジタルデータ保存ユニットに保存した画像情報の経度、緯度に基づき、実際の地図と座標を表示する一表示手段とを含む。
係る構成の測位データ提供手段について、その構造と特徴を詳述するために具体的な実施例を挙げ、以下に説明する。
【実施例】
【００１８】
図１に、この考案の構造を示した説明図を開示する。図面によれば、この考案の測位データ提供手段１は、経緯度測定手段１１と、画像キャプチャ手段１２と、保存手段１３と、表示手段１４とを含んでなる。該測位データ提供手段１は、画像を取り込むだけでなく、取り込まれた画像の被写体が位置する実際の地図や座標を表示する機能を具えてなる。
【００１９】
上述する経緯度測定手段１１は、取り込まれた画像が位置する場所の経度、緯度に関する画像情報を提供する。該経緯度測定手段１１は、全地球測位システム（ＧＰＳ、Ｇｌｏｂａｌ  Ｐｏｓｉｔｉｏｎｉｎｇ  Ｓｙｓｔｅｍ）からなる。
【００２０】
該画像キャプチャ手段１２は、上述する経緯度測定手段１１に接続し、画像を取り込むために供する。
【００２１】
該保存手段１３は、前述する経緯度測定手段１１及び画像キャプチャ手段１２に接続する。また、該保存手段１３は、画像データを保存するデジタル画像保存ユニット１３１と、画像に関する情報を保存するデジタルデータ保存ユニット１３２とを具えてなる。該デジタルデータ保存ユニット１３２は、画像を取り込んだ期日、時間及び被写体が位置する経度、緯度に関する情報を保存する。
【００２２】
該表示手段１４は、前述の保存手段１３に接続し、デジタルデータ保存ユニット１３２に保存された被写体の位置の経度、緯度に基づき実際の地図や座標を表示するために供する。
【００２３】
図２に、この考案の実施例を開示する。図３に、この考案の使用状態を示した説明図を開示する。図４に、この考案の実施例を開示する。図面によれば、この考案を利用する場合、該経緯度測定手段１１と、画像キャプチャ手段１２と、表示手段１４とをハウジング１０内に設けて測位データ提供手段１を形成する。
【００２４】
該測位データ提供手段１は、ハウジング１０の表面に操作に必要なコントロールユニット１５と、画像情報を表示する表示ユニット１６と、保存手段１３を挿入するために供する挿入口１７とを設けてなるとともに、画像キャプチャ手段１２の画像キャプチャヘッド１２１及びフラッシュキー１２２をハウジング１０上に設けてなる。
【００２５】
画像を取り込む場合、画像キャプチャヘッド１２１で被写体を確認し、フラッシュキー１２２を押して画像キャプチャ手段１２で画像を取り込む。該画像キャプチャ手段１２が画像を取り込むと同時に、経緯度測定手段１１が画像を取り込んだ期日、時間、及び被写体の位置する経度、緯度に関する情報を測定し、画像及び画像情報がそれぞれ保存手段１３のデジタル画像保存ユニット１３１とデジタルデータ保存ユニット１３２とに保存される。
【００２６】
取り込んだ画像の実際の地図及び座標を利用者が確認する場合、コントロールユニット１５を操作してデジタルデータ保存ユニット１３２における画像を取り込んだ期日、時間及び被写体の位置する経度、緯度に関するデータを読み取り、該経度、緯度など画像に関する情報を分析して経緯度測定手段１１で経度、緯度の情報に基づいて被写体の位置する座標を解析させるとともに、表示手段１４で、取り込んだ画像の被写体が位置する実際の地図及び座標を測位データ提供手段１の表示ユニット１６に表示する。このように、測位データ提供手段１は画像を取り込む以外、取り込んだ画像の被写体が位置する実際の地図や座標を確認することができるため、はっきりと正確に画像が取り込まれた場所を確認することができる。
【００２７】
図５に、この考案の他の実施例を開示する。図６に、この考案の他の実施例の説明図を開示する。図面によれば、保存手段１３は外部接続プロセッサ２に挿入して接続する。該外部接続プロセッサ２は、コンピュータ、携帯情報端末（ＰＤＡ）、携帯電話などのユニットである。該外部接続プロセッサ２により保存手段１３のデジタル画像保存ユニット１３１及びデジタルデータ保存ユニット１３２内に保存した取り込んだ画像の被写体の位置する経度、緯度に関する情報を読み取り、外部接続プロセッサ２内のソフトウェア２２で経度、緯度に関する情報を分析して、取り込んだ画像の被写体が位置する実際の地図及び座標を外部接続プロセッサ２の表示ユニット２１に表示する。よって、測位データ提供手段１は、画像を取り込むだけでなく、取り込んだ画像の被写体が位置する実際の地図及び座標を表示することもできるため、利用者がはっきりと正確に画像が取り込まれた場所を確認することができる。
【００２８】
前述のように、この考案の測位データ提供手段は、従来の欠点を有効に改善する。該測位データ提供手段は画像を取り込むだけでなく、取り込まれた画像の被写体が位置する実際の地図及び座標を表示する。
【００２９】
以上は、この考案の好ましい実施例であって、この考案の実施の範囲を限定するものではない。よって、当業者のなし得る修正、もしくは変更であって、この発明の精神の下においてなされ、この発明に対して均等の効果を有するものは、いずれもこの考案の実用新案請求の範囲に属するものとする。
【図面の簡単な説明】
【００３０】
【図１】この考案の画像位置決め装置の構造を示した説明図である。
【図２】この考案の画像位置決め装置の実施例を示した説明図である。
【図３】この考案の画像位置決め装置の実施状態を示した説明図である。
【図４】この考案の画像位置決め装置の実施例を示した説明図である。
【図５】この考案の画像位置決め装置の他の実施状態を示した説明図である。
【図６】この考案の画像位置決め装置の他の実施例を示した説明図である。
【符号の説明】
【００３１】
１        測位データ提供手段
１０      ハウジング
１１      経緯度測定手段
１２      画像キャプチャ手段
１２１    画像キャプチャヘッド
１２２    フラッシュキー
１３      保存手段
１３１    デジタル画像保存ユニット
１３２    デジタルデータ保存ユニット
１４      表示手段
１５      コントロール素子
１６      表示素子
１７      挿入口
２        外部処理装置
２１      表示素子
２２      ソフトウェア
【図１】
0003126385.tif 000003
【図２】
0003126385.tif 000004
【図３】
0003126385.tif 000005
【図４】
0003126385.tif 000006
【図５】
0003126385.tif 000007
【図６】
0003126385.tif 000008
【手続補正書】
【提出日】平成18年8月10日(2006.8.10)
【手続補正１】
【補正対象書類名】実用新案登録請求の範囲
【補正対象項目名】全文
【補正方法】変更
【補正の内容】
【実用新案登録請求の範囲】
【請求項１】
被写体の存在する位置を測定し、経度、緯度を計算する経緯度測定手段と、
該経緯度測定手段に接続し、画像を取り込む画像キャプチャ手段と、
画像データを保存するデジタル画像保存ユニットと、及び画像に関する情報を保存するデジタルデータ保存ユニットとを具えてなり、且つ該経緯度測定手段と、該画像キャプチャ手段とに接続する保存手段と、
該保存手段に接続して該デジタルデータ保存ユニットに保存した画像情報の経度、緯度に基づき、実際の地図と座標を表示する一表示手段とを含むことを特徴とする測位データ提供装置。
【請求項２】
前記経緯度測定手段が全地球測位システムであることを特徴とする請求項１に記載の測位データ提供装置。
【請求項３】
前記デジタルデータ保存ユニットに保存する画像関連情報が画像を取り込んだ時間、期日、及び被写体の位置の経度と緯度とを含むことを特徴とする請求項１に記載の測位データ提供装置。
【請求項４】
被写体の存在する位置を測定し、経度、緯度を計算する経緯度測定手段と、
該経緯度測定手段に接続し、画像を取り込む画像キャプチャ手段と、
画像データを保存するデジタル画像保存ユニットと、及び画像に関する情報を保存するデジタルデータ保存ユニットとを具えてなり、且つ該経緯度測定手段と、該画像キャプチャ手段とに接続する保存手段とを含むことを特徴とする測位データ提供装置。
【請求項５】
前記経緯度測定手段が全地球測位システムであることを特徴とする請求項４に記載の測位データ提供装置。
【請求項６】
前記デジタルデータ保存ユニットに保存する画像関連情報が画像を取り込んだ時間、期日、及び被写体の位置の経度と緯度とを含むことを特徴とする請求項４に記載の測位データ提供装置。
【請求項７】
前記保存手段が該デジタルデータ保存ユニットに保存した被写体の位置に係る緯度、経度に基づく実際の地図と座標を表示する外部接続プロセッサに接続することを特徴とする請求項４に記載の測位データ提供装置。
【請求項８】
前記外部接続プロセッサがコンピュータか、携帯情報端末か、もしくは携帯電話機であることを特徴とするコンピュータか、携帯情報端末か、もしくは携帯電話機であることを特徴とする請求項７に記載の測位データ提供装置。
【手続補正２】
【補正対象書類名】明細書
【補正対象項目名】全文
【補正方法】変更
【補正の内容】
【考案の詳細な説明】
【技術分野】
【０００１】
この考案は、測位データ提供装置に関し、特に画像を取り込んだ期日、時間及び被写体の位置を表す実際の地図や座標を提供する測位データ提供装置に関する。
【背景技術】
【０００２】
画像を取り込むための従来の装置には、感光フィルムを利用したスチールカメラと、デジタル画像処理装置にメモリカードを具えたデジタルカメラとがある。両者はいずれも画像を取り込むために必要な機能を具えている。
【０００３】
しかしながら、スチールカメラは感光フィルムを利用しているため、撮影できる枚数が限られ、撮影後の画像をすぐに閲覧、削除することができず、且つ撮影後のフィルムを繰り返し利用することができない。また、感光フィルムは保存が難しいとともに、フィルムを暗室で処理した後でなければ必要な写真を確認することができない。
【０００４】
よって、スチールカメラに代わってデジタルカメラを利用する人が増加してきている。デジタルカメラは撮影後、すぐに撮影した画像を閲覧、消去することができるだけでなく、メモリカードをコンピュータ、ＰＤＡ、携帯電話などの装置に直接接続して画像の保存及び処理を行うことができるため、撮影後の画像を永久に保存できるだけでなく、画像を多様に利用することができる。
【０００５】
前述のように、デジタルカメラはスチールカメラを利用する場合の欠点を改善した。しかしながら、従来のデジタルカメラは撮影時に画像を取り込み保存する以外、撮影の期日、時間しか記録することができない。このため、数年後に保存していた画像を鑑賞する場合、撮影する人と撮影された人は、撮影した期日、時間しか知ることができず、撮影された場所を忘れていることがある。よって、従来のデジタルカメラでは思い出として保存する画像として記録できる資料が不足している。
【考案の開示】
【考案が解決しようとする課題】
【０００６】
この考案は、画像が取り込まれた期日、時間及び被写体の位置を表す実際の地図や座標を提供することができる測位データ提供装置を提供することを課題とする。
【課題を解決するための手段】
【０００７】
そこで本発明者は、従来の技術に鑑み鋭意研究を重ねた結果、被写体の存在する位置を測定し、経度、緯度を計算する経緯度測定手段と、該経緯度測定手段に接続し、画像を取り込む画像キャプチャ手段と、画像データを保存するデジタル画像保存ユニットと、及び画像に関する情報を保存するデジタルデータ保存ユニットとを具えてなり、且つ該経緯度測定手段と、該画像キャプチャ手段とに接続する保存手段と、該保存手段に接続して該デジタルデータ保存ユニットに保存した画像情報の経度、緯度に基づき、実際の地図と座標を表示する一表示手段とを含む構造によって課題を解決できる点に着眼し、係る知見に基づき本発明を完成させた。
以下、この発明について具体的に説明する。
【０００８】
請求項１に記載の測位データ提供装置は、提供手段被写体の存在する位置を測定し、経度、緯度を計算する経緯度測定手段と、該経緯度測定手段に接続し、画像を取り込む画像キャプチャ手段と、画像データを保存するデジタル画像保存ユニットと、及び画像に関する情報を保存するデジタルデータ保存ユニットとを具えてなり、且つ該経緯度測定手段と、該画像キャプチャ手段とに接続する保存手段と、該保存手段に接続して該デジタルデータ保存ユニットに保存した画像情報の経度、緯度に基づき、実際の地図と座標を表示する一表示手段とを含む。
【０００９】
請求項２に記載の測位データ提供装置は、請求項１における経緯度測定手段が全地球測位システムである。
【００１０】
請求項３に記載の測位データ提供装置は、請求項１におけるデジタルデータ保存ユニットに保存する画像関連情報が画像を取り込んだ時間、期日、及び被写体の位置の経度と緯度とを含む。
【００１１】
請求項４に記載の測位データ提供装置は、被写体の存在する位置を測定し、経度、緯度を計算する経緯度測定手段と、該経緯度測定手段に接続し、画像を取り込む画像キャプチャ手段と、画像データを保存するデジタル画像保存ユニットと、及び画像に関する情報を保存するデジタルデータ保存ユニットとを具えてなり、且つ該経緯度測定手段と、該画像キャプチャ手段とに接続する保存手段とを含む。
【００１２】
請求項５に記載の測位データ提供装置は、請求項４における経緯度測定手段が全地球測位システムである。
【００１３】
請求項６に記載の測位データ提供装置は、請求項４におけるデジタルデータ保存ユニットに保存する画像関連情報が画像を取り込んだ時間、期日、及び被写体の位置の経度と緯度とを含む。
【００１４】
請求項７に記載の測位データ提供装置は、請求項４における保存手段が該デジタルデータ保存ユニットに保存した被写体の位置に係る緯度、経度に基づく実際の地図と座標を表示する外部接続プロセッサに接続する。
【００１５】
請求項８に記載の測位データ提供装置は、請求項７における外部接続プロセッサがコンピュータか、携帯情報端末か、もしくは携帯電話機であることを特徴とするコンピュータか、携帯情報端末か、もしくは携帯電話機である。
【考案の効果】
【００１６】
この考案の測位データ提供装置は、画像を取り込んだ期日、時間及び被写体の位置する実際の地図や座標を記録し、表示することができるため、利用者に画像が取り込まれた場所をはっきりと正確に伝えることができるという効果を有する。
【考案を実施するための最良の形態】
【００１７】
この考案は、画像が取り込まれた期日、時間及び被写体の位置を表す実際の地図や座標を提供することができる測位データ提供装置であって、被写体の存在する位置を測定し、経度、緯度を計算する経緯度測定手段と、
該経緯度測定手段に接続し、画像を取り込む画像キャプチャ手段と、画像データを保存するデジタル画像保存ユニットと、及び画像に関する情報を保存するデジタルデータ保存ユニットとを具えてなり、且つ該経緯度測定手段と、該画像キャプチャ手段とに接続する保存手段と、該保存手段に接続して該デジタルデータ保存ユニットに保存した画像情報の経度、緯度に基づき、実際の地図と座標を表示する一表示手段とを含む。
係る構成の測位データ提供装置について、その構造と特徴を詳述するために具体的な実施例を挙げ、以下に説明する。
【実施例】
【００１８】
図１に、この考案の構造を示した説明図を開示する。図面によれば、この考案の測位データ提供装置１は、経緯度測定手段１１と、画像キャプチャ手段１２と、保存手段１３と、表示手段１４とを含んでなる。該測位データ提供手段１は、画像を取り込むだけでなく、取り込まれた画像の被写体が位置する実際の地図や座標を表示する機能を具えてなる。
【００１９】
上述する経緯度測定手段１１は、取り込まれた画像が位置する場所の経度、緯度に関する画像情報を提供する。該経緯度測定手段１１は、全地球測位システム（ＧＰＳ、Ｇｌｏｂａｌ  Ｐｏｓｉｔｉｏｎｉｎｇ  Ｓｙｓｔｅｍ）からなる。
【００２０】
該画像キャプチャ手段１２は、上述する経緯度測定手段１１に接続し、画像を取り込むために供する。
【００２１】
該保存手段１３は、前述する経緯度測定手段１１及び画像キャプチャ手段１２に接続する。また、該保存手段１３は、画像データを保存するデジタル画像保存ユニット１３１と、画像に関する情報を保存するデジタルデータ保存ユニット１３２とを具えてなる。該デジタルデータ保存ユニット１３２は、画像を取り込んだ期日、時間及び被写体が位置する経度、緯度に関する情報を保存する。
【００２２】
該表示手段１４は、前述の保存手段１３に接続し、デジタルデータ保存ユニット１３２に保存された被写体の位置の経度、緯度に基づき実際の地図や座標を表示するために供する。
【００２３】
図２に、この考案の実施例を開示する。図３に、この考案の使用状態を示した説明図を開示する。図４に、この考案の実施例を開示する。図面によれば、この考案を利用する場合、該経緯度測定手段１１と、画像キャプチャ手段１２と、表示手段１４とをハウジング１０内に設けて測位データ提供装置１を形成する。
【００２４】
該測位データ提供装置１は、ハウジング１０の表面に操作に必要なコントロールユニット１５と、画像情報を表示する表示ユニット１６と、保存手段１３を挿入するために供する挿入口１７とを設けてなるとともに、画像キャプチャ手段１２の画像キャプチャヘッド１２１及びフラッシュキー１２２をハウジング１０上に設けてなる。
【００２５】
画像を取り込む場合、画像キャプチャヘッド１２１で被写体を確認し、フラッシュキー１２２を押して画像キャプチャ手段１２で画像を取り込む。該画像キャプチャ手段１２が画像を取り込むと同時に、経緯度測定手段１１が画像を取り込んだ期日、時間、及び被写体の位置する経度、緯度に関する情報を測定し、画像及び画像情報がそれぞれ保存手段１３のデジタル画像保存ユニット１３１とデジタルデータ保存ユニット１３２とに保存される。
【００２６】
取り込んだ画像の実際の地図及び座標を利用者が確認する場合、コントロールユニット１５を操作してデジタルデータ保存ユニット１３２における画像を取り込んだ期日、時間及び被写体の位置する経度、緯度に関するデータを読み取り、該経度、緯度など画像に関する情報を分析して経緯度測定手段１１で経度、緯度の情報に基づいて被写体の位置する座標を解析させるとともに、表示手段１４で、取り込んだ画像の被写体が位置する実際の地図及び座標を測位データ提供装置１の表示ユニット１６に表示する。このように、測位データ提供装置１は画像を取り込む以外、取り込んだ画像の被写体が位置する実際の地図や座標を確認することができるため、はっきりと正確に画像が取り込まれた場所を確認することができる。
【００２７】
図５に、この考案の他の実施例を開示する。図６に、この考案の他の実施例の説明図を開示する。図面によれば、保存手段１３は外部接続プロセッサ２に挿入して接続する。該外部接続プロセッサ２は、コンピュータ、携帯情報端末（ＰＤＡ）、携帯電話などのユニットである。該外部接続プロセッサ２により保存手段１３のデジタル画像保存ユニット１３１及びデジタルデータ保存ユニット１３２内に保存した取り込んだ画像の被写体の位置する経度、緯度に関する情報を読み取り、外部接続プロセッサ２内のソフトウェア２２で経度、緯度に関する情報を分析して、取り込んだ画像の被写体が位置する実際の地図及び座標を外部接続プロセッサ２の表示ユニット２１に表示する。よって、測位データ提供装置１は、画像を取り込むだけでなく、取り込んだ画像の被写体が位置する実際の地図及び座標を表示することもできるため、利用者がはっきりと正確に画像が取り込まれた場所を確認することができる。
【００２８】
前述のように、この考案の測位データ提供装置は、従来の欠点を有効に改善する。該測位データ提供装置は画像を取り込むだけでなく、取り込まれた画像の被写体が位置する実際の地図及び座標を表示する。
【００２９】
以上は、この考案の好ましい実施例であって、この考案の実施の範囲を限定するものではない。よって、当業者のなし得る修正、もしくは変更であって、この発明の精神の下においてなされ、この発明に対して均等の効果を有するものは、いずれもこの考案の実用新案請求の範囲に属するものとする。
【図面の簡単な説明】
【００３０】
【図１】この考案の画像位置決め装置の構造を示した説明図である。
【図２】この考案の画像位置決め装置の実施例を示した説明図である。
【図３】この考案の画像位置決め装置の実施状態を示した説明図である。
【図４】この考案の画像位置決め装置の実施例を示した説明図である。
【図５】この考案の画像位置決め装置の他の実施状態を示した説明図である。
【図６】この考案の画像位置決め装置の他の実施例を示した説明図である。
【符号の説明】
【００３１】
１        測位データ提供装置
１０      ハウジング
１１      経緯度測定手段
１２      画像キャプチャ手段
１２１    画像キャプチャヘッド
１２２    フラッシュキー
１３      保存手段
１３１    デジタル画像保存ユニット
１３２    デジタルデータ保存ユニット
１４      表示手段
１５      コントロール素子
１６      表示素子
１７      挿入口
２        外部処理装置
２１      表示素子
２２      ソフトウェア